(57)【要約】      （修正有）【課題】紙容器薄肉部のフィルムが破断片化してストロー内に直接入り込むことを確実に防止し、かつそのフィルムが破断片化して容器内に落下することを簡易にかつ廉価に防止することができる飲用ストローを提供する。【解決手段】飲料用ストロー２は、液体食品用紙容器に用いられる１本若しくは複数本のストロー管からなる飲料用ストローであって、液体食品用紙容器が飲料用ストローを差込むための薄肉部を器壁に有し、ストローが、薄肉部に差込まれる側のストロー管の斜めに形成されシールされた先端部４と、先端部近傍に形成された複数個の貫通孔６とを有し、貫通孔の合計孔面積がストロー管の断面積より広い。【選択図】図１
2011140345.tif 000002
【特許請求の範囲】
【請求項１】
液体食品用紙容器に用いられる１本若しくは複数本のストロー管からなる飲料用ストローであって、該液体食品用紙容器が該飲料用ストローを差込むための薄肉部を器壁に有し、該ストローが、該薄肉部に差込まれる側の該ストロー管の斜めに形成されシールされた先端部と、該先端部近傍に形成された複数個の貫通孔とを有し、
該貫通孔の合計孔面積が該ストロー管の断面積より広い、
ことを特徴とする飲料用ストロー。
【発明の詳細な説明】
【技術分野】
【０００１】
本発明は、ジュースや牛乳などの液体食品などを充填した紙容器などに用いる飲料用ストローに関する。
【背景技術】
【０００２】
液体食品用紙容器から飲料を飲む方法には種々がある。図７に上部部分を示す矩形紙容器の例では、紙容器（１）に、プラスチックフィルム袋に包装された飲料用ストロー（２）が添付されている。紙容器の器壁上面に、飲料用ストロー（２）を差込むための薄肉部（３）、すなわち、ストロー孔が形成されている。この薄肉部は、通常、紙主体の包材の紙基材層にパンチなどで打ち抜かれ、この紙基材層にプラスチック層及び、必要であれば、アルミニウム箔層を形成することによって形成される。
飲料用ストローが、例えば、内管と内管を収納する外管とからなる伸縮ストローである場合、内管の先端部からその薄肉部に差込まれる。
消費者がこの紙容器から飲料を飲む場合、図７に示すように、飲料用ストロー（２）を、容器１の薄肉部（ストロー孔３）に貫通孔を、ストロー先端で形成して差込み、飲用することによって使用することができる。 
しかし、飲料用ストロー用の薄肉部（パンチ穴部分）のフィルムが、差込時に破断片化してストロー内に直接入り込んで消費者がそれを飲んでしまう恐れ、または、パンチ穴の部分のフィルムが破断片化して、容器内に落下しそれを消費者が飲んでしまう恐れがある。破断片は、何ら体に影響がないが、極めて清潔観念が強い消費者にとって好ましくはない。
【０００３】
上記の不都合を解消する為に、例えば、飲用ストローの先端開口部に薄肉部断片のストロー管内部への侵入を防止する網を設けること、及び飲用ストローの先端を鉛筆の先端部のように尖塔様に尖らせることなどが提案されている。（特許文献参照）
【先行技術文献】
【特許文献】
【０００４】
【特許文献１】特開２００２−２５３４１５号公報
【発明の概要】
【発明が解決しようとする課題】
【０００５】
上記従来技術による飲用ストローでは、薄肉部のフィルムが破断片化してストロー内に直接入り込むこと及びで破断片化して容器内に落下することを、簡易にかつ廉価に防止することができない。
本発明は、紙容器薄肉部のフィルムが破断片化してストロー内に直接入り込むことを確実に防止し、かつそのフィルムが破断片化して容器内に落下することを簡易にかつ廉価に防止することができる飲用ストローを提供することを目的とする。
【課題を解決するための手段】
【０００６】
この課題を解決する本発明の飲料用ストローは、液体食品用紙容器に用いられる１本若しくは複数本のストロー管からなる飲料用ストローであって、液体食品用紙容器が飲料用ストローを差込むための薄肉部を器壁に有し、ストローが、薄肉部に差込まれる側のストロー管の斜めに形成されシールされた先端部と、先端部近傍に形成された複数個の貫通孔とを有し、
貫通孔の合計孔面積がストロー管の断面積より広いことを特徴とする。
【発明の効果】
【０００７】
以上の本発明によれば、以下の有利な作用を奏し顕著な効果が得られる。
本発明の飲料用ストローは、液体食品用紙容器に用いられる１本若しくは複数本のストロー管からなる飲料用ストローである。このストロー管には、中空の貫通空間があり、この管を伝って液体食品が流れる。
この発明において使用される液体食品用紙容器は、飲料用ストローを差込むための薄肉部を器壁に有する。通常、器壁は、容器の頂壁にあり、薄肉部は、紙主体の包材の紙基材層にパンチなどで打ち抜かれ、パンチ穴を含むこの紙基材層に、プラスチック層、必要であれば、アルミニウム箔層を積層することによって形成される。
【０００８】
本発明の飲料用ストローは、ストローが、薄肉部に差込まれる側のストロー管の斜めに形成されシールされた先端部と、先端部近傍に形成された複数個の貫通孔とを有する。
ストローの先端部は、円筒状のストロー管の端部が、薄肉部に差込まれる側で斜めに切断されて形成され、切断部分は尖った形状を呈する。この形から、容器頂壁の薄肉部に差込まれるとき、容易に薄肉部を破断して、ストローによる飲料の飲用を可能にする。
【０００９】
本発明の飲料用ストローは、ストローの先端部でシールされている。円筒状のストロー管の端部が斜めに切断された場合、その切断部分には、楕円形状の開口部が形成される。この発明において、この開口部がシールされる。シールする態様は種々にあるが、例えば、開口部の縁部に沿って、縁部を外方から挟むように押圧してヒートシールする態様、開口部の全面をフィルムを覆うことによってシールする態様、開口部の全面を詰め物で塞ぐことによってシールする態様などがある。
このシールによって、広い開口部から飲料が流れることがない。
【００１０】
本発明の飲料用ストローの特徴は、先端部近傍に形成された複数個の貫通孔とを有し、貫通孔の合計孔面積がストロー管の断面積より広いことである。
上述のとおり、シールによって、広い開口部から飲料が流れることがないが、先端部近傍に形成された複数個の貫通孔を設けるので、飲料は、この貫通孔を流れる。
貫通孔の合計孔面積がストロー管の断面積より広いので、従来のストローに比べて、開口部における流量制限がなく、よりスムーズに飲料を流すことができる。
【００１１】
本発明の飲料用ストローでは、先端をシールすることによってストローの強度が増し、紙容器のストロー穴に刺し易くなり、また、ストロー先端の変形がなくなることができる。
上述の様に、ストロー先端の変形がより少なくなるので、従来のような鋭い先端角にする必要がなく、消費者に対する安全性を高めることができる。
【００１２】
本発明の飲料用ストローでは、万一、ストローへのストロー孔の断片が巻き付きがあっても、穴が側面に複数開いているので、全てを塞がれることが少なく、飲用できない不都合を解消することができる。
本発明の飲料用ストローでは、万一、ストロー孔の断片が容器内部に落下して混入しても、先端部近傍に形成された複数個の貫通孔の口径を小さくすることで、その断片を飲用することを未然に防止することができ、衛生的である。
【図面の簡単な説明】
【００１３】
【図１】図１は、この発明による飲料用ストローの一実施例の先端部の部分側面外観図である。
【図２】図２は、この発明による飲料用ストローの一実施例の先端部の部分側面断面図である。
【図３】図３は、この発明による飲料用ストローの一実施例の先端部の部分正面外観図である。
【図４】図４は、この発明による飲料用ストローの一実施例の先端部の部分正面断面図である。
【図５】図５は、この発明による飲料用ストローの一実施例の先端部の底面外観図である。
【図６】図６は、この発明による飲料用ストローの一実施例の先端部の底部断面図である。
【図７】図７は、飲料用ストローの一実施例の使用態様を説明する外観図である。
【発明を実施するための形態】
【００１４】
以下、本発明の実施の形態について図面を参照しながら詳細に説明する。
この実施態様の飲料用ストローは、図７に示す液体食品用紙容器１に用いられる１本若しくは２本のストロー管からなる飲料用ストロー２である。このストロー管には、貫通中空があり、この管を伝って液体食品が流れる。
この実施態様において使用される液体食品用紙容器１は、飲料用ストロー２を差込むための薄肉部（ストロー孔）３を頂壁に有する。薄肉部は、紙主体の包材の紙基材層にパンチなどで打ち抜かれ、パンチ穴を含むこの紙基材層に、プラスチック層及びアルミニウム箔層を積層することによって形成される。
【００１５】
この実施態様の飲料用ストロー２は、図１乃至図６に示すように、ストロー２が薄肉部３に差込まれる側のストロー管の斜めに形成されシール５された先端部４と、先端部４近傍に形成された複数個の貫通孔６とを有する。
ストローの先端部４は、円筒状のストロー管の端部が、薄肉部に差込まれる側で斜めに切断されて形成され、切断部分は尖った形状を呈する。この形から、容器の薄肉部３に差込まれるとき、容易に薄肉部３を破断して、ストロー２による飲料の飲用を可能にする。
【００１６】
この実施態様の飲料用ストロー２は、ストローの先端部４でシール５されている。円筒状のストロー管の端部が斜めに切断されたとき、その切断部分には、楕円形状の開口部が形成されるが、この実施態様において、この開口部がシール５される。シールする態様は、開口部の縁部に沿って、縁部を外方から挟むように押圧してヒートシールする態様である。このシールによって、広い開口部から飲料が流れることがない。
【００１７】
この実施態様の飲料用ストローの特徴は、先端部４近傍に形成された複数個の貫通孔６とを有し、貫通孔の合計孔面積が、図６に示すストロー管の断面積Ｓより広いことである。
シール５によって、広い開口部から飲料が流れることがないが、先端部４近傍に形成された複数個の貫通孔６を設けるので、飲料は、この貫通孔６を流れる。
貫通孔の合計孔面積がストロー管の断面積Ｓより広いので、従来のストローに比べて、開口部における流量制限がなく、よりスムーズに飲料を流すことができる。
【００１８】
この実施態様の飲料用ストローでは、先端４をシールすることによってストロー２の強度が増し、紙容器１のストロー穴３に刺し易くなり、また、ストロー先端４の変形がなくなる。
上述の様に、ストロー先端４の変形がより少なくなるので、従来のような鋭い先端角にする必要がなく、消費者に対する安全性を高めることができる。
【００１９】
この実施態様の飲料用ストロー２では、万一、ストローへのストロー孔３の断片が巻き付きがあっても、穴が側面に複数開いているので、全てを塞がれることが少なく、飲用できない不都合を解消する。
この実施態様の飲料用ストローでは、万一、ストロー孔の断片が容器内部に落下して混入しても、先端部近傍に形成された複数個の貫通孔の口径を小さくすることで、その断片を飲用することを未然に防止し、衛生的である。
なお、本発明は前記実施の形態に限定されるものではなく、本発明の趣旨に基づいて種々変形させることが可能であり、それらを本発明の範囲から排除するものではない。
【産業上の利用可能性】
【００２０】
この発明は、ジュース、牛乳などの飲料を包装容器で包装充填する製造に適用することができる。
【符号の説明】
【００２１】
１  ・・  包装容器
２  ・・  ストロー
３  ・・  ストロー孔、薄肉部
４  ・・  先端部
５  ・・  シール
６  ・・  貫通孔
【図１】
2011140345.tif 000003
【図２】
2011140345.tif 000004
【図３】
2011140345.tif 000005
【図４】
2011140345.tif 000006
【図５】
2011140345.tif 000007
【図６】
2011140345.tif 000008
【図７】
2011140345.tif 000009